(57)【特許請求の範囲】
【請求項１】
液晶パネルの表示に係る一面側に位置し、開口を形成した額縁部分と、該額縁部分の外周縁部に連なり、前記液晶パネルの周囲に位置する周面部分と、該周面部分に連なり、前記液晶パネルの他面側を覆う背面部分とを有するキャビネットを備え、該キャビネット内に配置された前記液晶パネルを前記周面部分又は背面部分に支持された保持部材と前記額縁部分とによって両側から保持する構造を有する表示装置において、
前記液晶パネルの周縁部及び前記保持部材よりも外周側に位置し、前記液晶パネルの一面側から他面側に向かう方向に伸びるように前記額縁部分の内面部に突設された突起部と、該突起部の側面部と前記額縁部分の内面部とを結合する補強部とを備えていることを特徴とする表示装置。
【請求項２】
前記突起部の側面部は前記額縁部分の内面と略直交する方向に沿っており、前記補強部は前記突起部の側面部と前記額縁部分の内面とに略直交する板部であることを特徴とする請求項１に記載の表示装置。
【請求項３】
前記補強部は前記突起部の位置より内周側に配置してあることを特徴とする請求項１又は２に記載の表示装置。
【請求項４】
前記突起部は、前記液晶パネルの周縁部よりも外周側の全周に亘って連続して配置された環状突起であることを特徴とする請求項１から３のいずれか１項に記載の表示装置。
【請求項５】
前記突起部は、前記液晶パネルの周縁部よりも外周側の周方向に間隔を隔てて環状に配置された複数の突起であることを特徴とする請求項１から３のいずれか１項に記載の表示装置。
【請求項６】
前記保持部材は、前記液晶パネルへの照射光を通過させる開口が形成され、前記液晶パネルの周縁部を前記他面側から保持する枠体にて構成されていることを特徴とする請求項１から５のいずれか１項に記載の表示装置。
【請求項７】
前記枠体は、前記液晶パネルを駆動する回路基板の受け部を外周部に備えていることを特徴とする請求項６に記載の表示装置。
【発明の詳細な説明】
【技術分野】
【０００１】
本発明は、キャビネット内に配置された表示パネルを保持する構造を有する表示装置に関する。
【背景技術】
【０００２】
キャビネット内に表示パネルを保持する構造を有する表示装置の一例である液晶表示装置は、軽量、薄型を特徴とするが、従来は、ベゼルと呼ぶ金属製の枠体によって液晶パネルを前側（表示面側）から保持し、プラスチック製の枠体によって液晶パネルを後側（表示面の反対側）から保持するようにしている（特許文献１参照）。液晶パネルの前面側に位置するベゼルは、液晶表示装置に組み込んだ状態での液晶パネルの強度を確保し、また、液晶表示装置の製造時に液晶パネルを工場間及び工場内で搬送する際の強度を確保するために用いられている。
【０００３】
ここで金属製のベゼルを用いた液晶表示装置の構造について図４に基づき具体的に説明する。図４の左上の図はベゼル１５を用いた場合の液晶表示装置の要部を示す側面断面図である。液晶パネル１は、外装を確保し、外観デザインが施されたキャビネット２の内部に配置されており、該キャビネット２は、ベゼル１５の前側に位置し、中央に開口を形成した額縁部分２１と、該額縁部分２１の外周縁部に連なり、後方側に伸びて上下及び横の周面を覆う周面部分２２と、該周面部分２２に連なり、背面を覆う背面部分２３とを有する。ベゼル１５は断面が略Ｌ字形に形成され、液晶パネル１の前側に位置し、液晶パネル１の前面の周縁部を保持する前面枠部分１５Ａと前面枠部分１５Ａの外周端で折れ曲がって後方側に伸びる周枠部分１５Ｂとからなる。
【０００４】
液晶パネル１の後側に、断面がＬ字形に形成されたプラスチック製の枠体４が配置され、枠体４は、液晶パネル１の後面の周縁部を保持する前枠部分４Ａと前枠部分４Ａの外周端で折れ曲がって後方側に伸びる周枠部分４Ｂからなる。さらに、枠体４の後側に、光学シート１１と、バックライト１０を保持するバックライトシャーシ６とが、段付きフレーム７を用いて配置されている。図示しない手段によって、ベゼル１５の周枠部分１５Ｂとバックライトシャーシ６の後面部とを連結することにより、ベゼル１５の前面枠部分１５Ａと枠体４の前枠部分４Ａとによって液晶パネル１の周縁部が前後から保持される。
【０００５】
しかし、ベゼルを使用した場合には、ベゼル（特に前面枠部分）の配置スペースに相当する分、奥行き寸法が大きくなり、また、ベゼルの重量に相当する分、重くなるので、薄型化及び軽量化のために、ベゼルを使用せず、液晶パネルの周縁部を表示面側からキャビネットの額縁部分によって直接押圧して保持するようにした液晶表示装置が提案されている（特許文献２参照）。
【特許文献１】特開２００６−２０１３６４号公報
【特許文献２】特開２００６−２３５４２５号公報
【発明の開示】
【発明が解決しようとする課題】
【０００６】
特許文献２に記載の液晶表示装置では、液晶パネルを直接保持するキャビネットの額縁部分（前キャビネット）の剛性を確保するために、該額縁部分の内壁に六角柱状のリブを多数突出させたハニカム構造を形成してある。即ち、額縁部分の内面部に補強のためのハニカム構造を形成しているので、六角柱状のリブの高さに相当する分、奥行き寸法が大きくなり、また該ハニカム構造を形成した領域に相当する分、外周側への張り出し量が多くなる可能性があり、薄型化、狭額縁化の点で改良の余地があった。ＰＤＰ（プラズマディスプレイパネル）、有機ＥＬ（エレクトロ・ルミネッセンス）等の液晶表示装置以外の他の方式の薄型ディスプレイ（表示装置）においても、同様に、さらなる薄型化、狭額縁化が求められている。
【０００７】
本発明は、上述したような事情に鑑みてなされたものであり、ベゼルを使用せずに液晶パネルの周縁部を表示面側からキャビネットの額縁部分によって直接保持する構成において、さらなる薄型化及び狭額縁化を実現しつつ、該額縁部分の剛性を確保することができる表示装置を提供することを目的とする。
【課題を解決するための手段】
【０００８】
本発明に係る表示装置は、液晶パネルの表示に係る一面側に位置し、開口を形成した額縁部分と、該額縁部分の外周縁部に連なり、前記液晶パネルの周囲に位置する周面部分と、該周面部分に連なり、前記液晶パネルの他面側を覆う背面部分とを有するキャビネットを備え、該キャビネット内に配置された前記液晶パネルを前記周面部分又は背面部分に支持された保持部材と前記額縁部分とによって両側から保持する構造を有する表示装置において、前記液晶パネルの周縁部及び前記保持部材よりも外周側に位置し、前記液晶パネルの一面側から他面側に向かう方向に伸びるように前記額縁部分の内面部に突設された突起部と、該突起部の側面部と前記額縁部分の内面部とを結合する補強部とを備えていることを特徴とする。
【０００９】
本発明によれば、キャビネットの額縁部分によって液晶パネルの周縁部を表示に係る一面側（表示面側）から保持し、従来使用していた金属製のベゼルを省略することにより、液晶パネルの周縁部を表示面側から保持するベゼルの前面枠部分が配置されていたスペースに相当する分、奥行き寸法を小さくし、また、前面枠部分の外周端から液晶パネルの他面側（表示面の反対側）に伸びる周枠部分が配置されていたスペースに相当する分、外周側への張り出し量を少なくした表示装置において、液晶パネルの周縁部及び保持部材よりも外周側に位置し、液晶パネルの前記一面側から他面側に向かう方向に伸びるようにキャビネットの額縁部分の内面部に突設された突起部によって、キャビネットの額縁部分の剛性が高まり、加えて、該突起部の側面部とキャビネットの額縁部分の内面部とを結合する補強部によって、キャビネットの額縁部分と突起部との一体構造の保持力が大きくなり、突起部の剛性が高まるとともに、キャビネットの額縁部分の剛性がさらに高まる。
【００１３】
本発明に係る表示装置は、前述の発明における前記突起部の側面部は前記額縁部分の内面と略直交する方向に沿っており、前記補強部は前記突起部の側面部と前記額縁部分の内面とに略直交する板部であることを特徴とする。
本発明によれば、キャビネットの額縁部分と突起部との一体構造が変形して、突起部と額縁部分とが相対変位しようとした場合、突起部の側面部と額縁部分の内面とに略直交する板部は当該相対変位に対して強い抵抗力を有し、キャビネットの額縁部分と突起部との一体構造の変形が効果的に阻止される。また板部は薄い板厚であっても板の方向に強い抵抗力を有する。その結果、板部によって補強部の大型化を避けながら、キャビネットの額縁部分と突起部との一体構造の保持力、並びに、突起部及びキャビネットの額縁部分の各剛性を効果的に高めることができる。
【００１５】
本発明に係る表示装置は、前記補強部は前記突起部の位置より内周側に配置してあることを特徴とする。
本発明によれば、補強部が突起部より外周側へ張り出さないので、補強部によるキャビネットの外周側への張り出し量の増大を避けることができる。
【００１８】
本発明に係る表示装置は、前述の発明における前記突起部は、前記液晶パネルの周縁部よりも外周側の全周に亘って連続して配置された環状突起であることを特徴とする。
本発明によれば、全周に亘って繋がっている環状突起によって大きな剛性を確保することができる。また該環状突起によって液晶パネルの保持位置が額縁部分の外周側にずれないように規制され、さらに、環状突起の位置を適宜選定することによって額縁部分に対する液晶パネルの位置を自由に設定することができる。
【００１９】
本発明に係る表示装置は、前述の発明における前記突起部は、前記液晶パネルの周縁部よりも外周側の周方向に間隔を隔てて環状に配置された複数の突起であることを特徴とする。
本発明によれば、環状に配置された複数の突起によって液晶パネルの保持位置が額縁部分の外周側にずれないように規制され、さらに、複数の突起の位置を適宜選定することによって額縁部分に対する液晶パネルの位置を自由に設定することができる。
【００２０】
本発明に係る表示装置は、前述の発明における前記保持部材は、前記液晶パネルへの照射光を通過させる開口が形成され、前記液晶パネルの周縁部を前記他面側から保持する枠体にて構成されていることを特徴とする。
本発明によれば、液晶パネルの他面側（表示面の反対側）の保持に、液晶パネルに対する照射光の通過開口を備えた枠体を使用することができ、該枠体によって液晶パネルの周縁部が表示面の反対側から保持される。
【００２３】
本発明に係る表示装置は、前述の発明における前記枠体は、前記液晶パネルを駆動する回路基板の受け部を外周部に備えていることを特徴とする。
本発明によれば、液晶パネルの表示面の反対側を保持する枠体の外周部に備えた受け部に、液晶パネルを駆動する回路基板が搭載され、該回路基板は枠体より外周側に位置する突起部によって静電的に遮蔽保護される。
【発明の効果】
【００２４】
本発明に係る表示装置によれば、液晶パネルの表示面側の保持に従来使用していたベゼルを省略して、ベゼルの配置スペースに相当する分、奥行き寸法を小さくし、外周側への張り出し量も少なくするために、液晶パネルの周縁部を表示面側からキャビネットの額縁部分によって直接保持する構成において、キャビネットの額縁部分の内面部に液晶パネルの周縁部及び保持部材よりも外周側に位置するように突設させた突起部、及び該突起部の側面部と額縁部分の内面部とを結合する補強部により、例えばプラスチックの成形品にて作製される軽量のキャビネットの剛性を高め、液晶パネルの保持強度及び製品強度を補強することができるので、額縁部分の内面部自体に補強構造を形成するものとは異なり、さらなる薄型化及び狭額縁化を実現しつつ、額縁部分の剛性を確保することができる表示装置が提供される。
【００２６】
本発明に係る表示装置によれば、キャビネットの額縁部分の内面と略直交する方向に沿った突起部の側面部と額縁部分の内面とに略直交する板部によって補強部を構成することにより、補強部の大型化を避けながら、キャビネットの額縁部分と突起部との一体構造の保持力、並びに、突起部及びキャビネットの額縁部分の各剛性を効果的に高めることができる表示装置が提供される。
【００２８】
本発明に係る表示装置によれば、補強部を突起部の位置より内周側に配置することによって、キャビネットの外周側への張り出し量の増大を避けることができ、狭額縁化した表示装置が提供される。
【００３１】
本発明に係る表示装置によれば、液晶パネルの周縁部よりも外周側の全周に亘って設けた環状突起によって大きな剛性の突起部を実現することができる。また該環状突起によって、液晶パネルの保持位置を額縁部分の外周側にずれないように規制することができる。さらに、該環状突起の位置変更を可能とすることにより、キャビネットの額縁部分に対する液晶パネルの配置の設計自由度を確保することができる。
【００３２】
本発明に係る表示装置によれば、液晶パネルの周縁部よりも外周側の周方向に間隔を隔てて環状に配置された複数の突起によって、液晶パネルの保持位置を額縁部分の外周側にずれないように規制することができる。さらに、該複数の突起の位置変更を可能とすることにより、キャビネットの額縁部分に対する液晶パネルの配置の設計自由度を確保することができる。
【００３３】
本発明に係る表示装置によれば、液晶パネルの表示面側の保持にキャビネットの額縁部分を使用し、液晶パネルの表示面とは反対側の保持に照射光の通過開口を備えた枠体を使用する場合に、キャビネットの額縁部分に設けた前記突起部と補強部とによって、薄型化及び狭額縁化を実現しつつ、額縁部分の剛性を確保することができる。
【００３５】
本発明に係る表示装置によれば、枠体の外周部の受け部に液晶パネルを駆動する回路基板を搭載するので、例えば回路基板を枠体以外の部材に搭載する場合に対して、薄型化、狭額縁化の確保とともに回路基板の保護が可能となる。
【発明を実施するための最良の形態】
【００３６】
以下、本発明に係る表示装置である液晶表示装置の実施の形態を図面に基づいて説明する。
図１は、本発明の実施の形態に係る液晶表示装置の構造を示す側面断面図である。液晶表示装置は、キャビネット２によって囲まれた空間内に、表示面を有する液晶パネル１と、液晶パネル１を背面側から照射するバックライト１０と、液晶パネル１とバックライト１０との間に位置する拡散用の光学シート１１を配置している。
【００３７】
キャビネット２は、プラスチックの成形品であり、液晶パネル１の画像を正面から見るための開口を中央に形成した額縁部分２１と、該額縁部分２１の外周縁部に連なり、後方側に伸びて上下及び横の周面を覆う周面部分２２とを有するフロントキャビネット２Ａ、及び、外周縁部でフロントキャビネット２Ａの周面部分２２の後端部に固着され、背面を覆うように突出した背面部分２３を有するリヤキャビネット２Ｂからなる。
【００３８】
液晶パネル１の後側に、バックライト１０の照射光を液晶パネル１へ通過させるためにフロントキャビネット２Ａの額縁部分２１の開口より少し広く、液晶パネル１の外形寸法よりも狭い開口を形成した前枠部分４Ａと、該前枠部分４Ａの外周縁部に連なり、後方側に伸びる周枠部分４Ｂとを有する枠体４を配置している。枠体４はプラスチックの成形品である。液晶パネル１の周縁部を前側（表示面側）からクッション材３を介してフロントパネル２Ａの額縁部分２１が保持し、液晶パネル１の周縁部を後側（表示面の反対側）からクッション材５を介して枠体４の前枠部分４Ａが保持している。
【００３９】
バックライト１０は、前面が開口された直方体状の箱体からなるバックライトシャーシ６の内部に保持され、横置き状態で並置された複数の直線状の蛍光管にて構成されている。バックライトシャーシ６の内壁には反射膜６Ａが形成され、外周部には、後述の段付きフレーム７に組み付けるための係合凹部６Ｂを備えている。バックライトシャーシ６の外周側の前面部６Ｃは平面に形成されている。バックライトシャーシ６の背面側には間隔を隔ててバックライト用の駆動回路基板８が取り付けられている。
【００４０】
枠体４の前枠部分４Ａの後側には、枠体４の周枠部分４Ｂの内側に位置するように段付きフレーム７が配置されている。該段付きフレーム７は、内側に向けて略Ｕの字状に屈曲した断面形状の前側部分７Ａと、該前側部分７Ａの外周端部に連なり、後方に向けて伸びた後側部分７Ｂとからなる。前側部分７Ａは前部に枠体４の前枠部分４Ａの内面に当接する平面部を形成し、後面部は段部７Ｃを形成している。後側部分７Ｂの内周側は、バックライトシャーシ６の外周面に接する面に形成され、後側部分７Ｂの後端部にはバックライトシャーシ６の係合凹部６Ｂに嵌合する突部７Ｄが形成されている。
【００４１】
尚、該係合凹部６Ｂ及び突部７Ｄは夫々バックライトシャーシ６の外周部及び段付きフレーム７の全周に亘って連続させて形成してもよいが、以下のような変形が可能である。係合凹部６Ｂは連続させて形成するが、突部７Ｄは全周に間隔を隔てて離間させた複数個の突部７Ｄ，７Ｄ，７Ｄ…に形成してもよく、あるいは、係合凹部６Ｂと突部７Ｄの両方を互いの位置を合わせながら夫々全周に間隔を隔てて離間させた複数個の係合凹部６Ｂ，６Ｂ，６Ｂ…及び突部７Ｄ，７Ｄ，７Ｄ…に形成してもよい。
【００４２】
そして、段付きフレーム７の段部７Ｃに光学シート１１の周縁部を当接させ、バックライトシャーシ６を外周面が段付きフレーム７の後側部分７Ｂの内周に接するように挿入して光学シート１１の周縁部に後側からバックライトシャーシ６の外周側の前面部６Ｃを当接させ、バックライトシャーシ６の係合凹部６Ｂに段付きフレーム７の後部側の突部７Ｄを嵌合させている。尚、このように段付きフレーム７に光学シート１１及びバックライトシャーシ６を組み付けた中間品は、液晶表示装置の製造、組み立て時に工場間又は工場内で搬送することができる。
【００４３】
フロントキャビネット２Ａの周面部分２２は、リヤキャビネット２Ｂの背面部分２３との固着位置よりも内側に肉厚部分２２Ａを有し、該肉厚部分２２Ａの後端部はバックライトシャーシ６の背面と略同位置の平面に形成されている。フロントキャビネット２Ａの周面部分２２の肉厚部分２２Ａとバックライトシャーシ６とを連結保持する保持枠９が設けられている。保持枠９はビスによってバックライトシャーシ６の背面部とフロントキャビネット２Ａの肉厚部分２２Ａの後端部とに固着されている。これにより、枠体４がフロントキャビネット２Ａの周面部分２２に支持され、液晶パネル１がフロントキャビネット２Ａの額縁部分２１と枠体４の前枠部分４Ａとによって前後から保持される。
【００４４】
図２は図１に示す液晶表示装置の要部の側面断面図であり、図３は同斜視図である。フロントキャビネット２Ａの額縁部分２１の内壁２１ａには、液晶パネル１に対する保持位置よりも外周側の全周に亘って、後方側に伸びる環状突起２４を形成してある。環状突起２４は、液晶パネル１の周縁部及び枠体４よりも外周側に位置し、液晶パネル１の表示面側から表示面の反対側に向かう方向に伸びている。環状突起２４の周面部は額縁部分２１の内面（内壁２１ａ）と略直交する方向に沿っている。
【００４５】
環状突起２４の周面部２４ａと額縁部分２１の内壁２１ａとを結合するリブ２５を形成してある。リブ２５は環状突起２４の周面部と額縁部分２１の内面とに略直交し、側面視の形状が三角形の板部であり、環状突起２４の内周側に配置してある。リブ２５は所定の間隔を隔てて複数個配置されており、枠体４の前枠部分４Ａと周枠部分４Ｂとの境界となる角部には、各リブ２５の位置に対応してリブ２５と干渉しないように切欠４Ｃを形成している。
【００４６】
枠体４の周枠部分４Ｂの上面部に、液晶パネル１を駆動する回路基板１２の受け部４Ｄを設けている。受け部４Ｄは周枠部分４Ｂの表面よりも凹んだ溝状に形成されている。回路基板１２は液晶パネル１の端部の電極部とフレキシブルケーブル１３にて接続されている。図２及び図３では、切欠４Ｃを避けるために受け部４Ｄを前枠部分４Ａと周枠部分４Ｂとの境界となる角部から離れた位置に配置してあるが、周枠部分４Ｂの上面の長手方向に位置をずらして切欠４Ｃを避け、受け部４Ｄを前枠部分４Ａと周枠部分４Ｂとの境界となる角部の近くに配置してもよい。尚、液晶パネル１を駆動する回路基板１２の受け部４Ｄは、枠体４の周枠部分４Ｂの下面部に設けてもよい。
【００４７】
本発明に係る液晶表示装置とベゼル１５を用いた液晶表示装置を比較する。図４は、従来の液晶表示装置と図１に示す液晶表示装置との外形寸法を比較した側面断面図である。ベゼル１５を省略した分、奥行き寸法が短くなって薄型化され（左下の図）、また、ベゼル１５の周枠部分１５Ｂの代わりにキャビネット２の周面部分２２を枠体４の側に接近させることにより、外周側への張り出し量が少なくなって狭額縁化される（右上の図）ことが分かる。また、ベゼル１５を用いた場合には、金属製の周枠部分１５Ｂが枠体４の受け部４Ｄに保持された回路基板１２に近接するので、該回路基板１２の保護のために回路基板１２に対向する周枠部分１５Ｂの内壁を絶縁シート１４で覆う必要があったが、本発明に係る液晶表示装置では、フロントキャビネット２Ａの環状突起２４が枠体４の受け部４Ｄに保持された回路基板１２に近接するが、フロントキャビネット２Ａは絶縁性であるので、絶縁テープで覆うことが不要になる。
【００５８】
前述の実施の形態では、液晶パネル１の後面部を後側から受け止める保持部材を、液晶パネル１の駆動回路基板１２の受け部４Ｄを備えた周枠部分４Ｂを有する枠体４にて構成したが、これに限らない。例えば、前枠部分４Ａのみからなる枠体でもよい。
【００５９】
前述の実施の形態では、キャビネット２の額縁部分２１の外周側の内壁２１ａに後方側に伸びる環状突起２４を形成したが、環状突起２４の代わりに、周方向に間隔を隔てて環状に配置された複数の突起を形成してもよい。この場合、額縁部分２１における剛性の補強箇所に応じて、各突起の配置、形状、個数等を設定することができる。
【図面の簡単な説明】
【００６１】
【図１】本発明の実施の形態に係る液晶表示装置の構造を示す側面断面図である。
【図２】図１に示す液晶表示装置の要部の側面断面図である。
【図３】図１に示す液晶表示装置の要部の斜視図である。
【図４】従来の液晶表示装置と図１に示す液晶表示装置との外形寸法を比較した側面断面図である。
【符号の説明】
【００６２】
１      液晶パネル
２      キャビネット
２Ａ    フロントキャビネット
２Ｂ    リヤキャビネット
４      枠体（保持部材）
４Ｄ    受け部
１２    駆動回路基板（回路基板）
２１    額縁部分
２１ａ  内壁（内面部）
２２    周面部分
２３    背面部分
２４    環状突起（突起部）
２４ａ  周面部（側面部）
２５    リブ（板部、補強部）
【図１】
0004837016.tif 000002
【図２】
0004837016.tif 000003
【図３】
0004837016.tif 000004
【図４】
0004837016.tif 000005